(57)【要約】【課題】  地面からの突出長さを一定にすることができるとともに、樹木の根が残っていても設置可能な斜面用柵及び斜面用柵の設置方法を提供すること。【解決手段】斜面に間隔を有して設けられた複数個の支柱と、該支柱にそれぞれ取付具を介して取り付けられた複数個の横木と、隣り合う前記横木を回転可能に連結する複数個の連結部材とで構成され、前記支柱は、斜面に打ち込まれる杭部材と、少なくとも該杭部材の上部が、その内部に入り込むように重なり合うパイプ状の支柱本体と、該支柱本体を前記杭部材に固定する固定手段とで構成され、前記連結部材は、一方の連結片及び他方の連結片がそれぞれ回転可能に接続され、前記一方の連結片が前記隣り合う横木の一方の横木に取り付けられ、前記他方の連結片が他方の横木に取り付けられることを特徴とする。【選択図】  図１
2020007838.tif 000002
【特許請求の範囲】
【請求項１】
斜面に間隔を有して設けられた複数個の支柱と、該支柱にそれぞれ取付具を介して取り付けられた複数個の横木と、隣り合う前記横木を回転可能に連結する複数個の連結部材とで構成され、
前記支柱は、斜面に打ち込まれる杭部材と、少なくとも該杭部材の上部が、その内部に入り込むように重なり合うパイプ状の支柱本体と、該支柱本体を前記杭部材に固定する固定手段とで構成され、
前記連結部材は、一方の連結片及び他方の連結片がそれぞれ回転可能に接続され、前記一方の連結片が前記隣り合う横木の一方の横木に取り付けられ、前記他方の連結片が他方の横木に取り付けられる斜面用柵。
【請求項２】
少なくとも前記横木又は支柱のいずれかに、格子状の網部材が更に取り付けられていることを特徴とする請求項１に記載の斜面用柵。
【請求項３】
複数個の杭部材を斜面に打ち込む杭部材設置工程と、該杭部材設置工程で設置された前記杭部材に、それぞれパイプ状の支柱本体を固定手段によって取り付ける支柱本体設置工程と、該支柱本体設置工程において設置した前記支柱本体に、複数個の横木を取付具を介して前記支柱本体に取り付けるとともに、前記横木を連結部材によって連結する横木設置工程とで構成され、
前記連結部材は、一方の連結片及び他方の連結片が回転可能に連結され、一方の連結片が前記隣り合う横木の一方の横木に取り付けられ、他方の連結片が他方の横木に取り付けられ、
前記柱本体設置工程は、前記支柱本体の底部が斜面に接地した状態で杭部材に取り付ける斜面用柵の設置方法。
【請求項４】
少なくとも前記横木又は支柱のいずれかに、格子状の網部材を取り付ける網部材設置工程を更に行うことを特徴とする請求項４に記載の斜面用柵の設置方法。
【請求項５】
少なくとも前記杭部材設置工程は、ウインチを有する法面作業車を用いて、ウインチのワイヤーを斜面上部のアンカーに固定して杭部材を斜面に打ち込んで設置することを特徴とする請求項３又は請求項４のいずれかに記載の斜面用柵の設置方法。
【発明の詳細な説明】
【技術分野】
【０００１】
本発明は法面等の斜面に設置される柵及びその柵の設置方法に関する。
【背景技術】
【０００２】
従来、斜面等に用いることができる柵としては、支柱の下端部を地面に打ち込み、この支柱に上下一対の上枠材と下枠材を取り付け、これら上枠材と下枠材とに上下端が回動自在に軸着された左右一対の縦枠材と、前記上枠材と前記下枠材とに上下端が回動自在に軸着された複数の格子材を備える自在格子パネルが知られている（特許文献１）。
しかしながら、斜面にフェンス等の柵を設置する場合、地中の岩盤等の位置により柵を支持するための支柱を所定の高さになるように打ち込むことが難しく、杭部材の地面（斜面）からの突出長さが不揃いになり、横木（横枠や横桟等）や金網等を固定することが難しくなる場合があるという欠点があった。
【０００３】
また、樹木を伐採しただけの斜面に柵を設置する場合、樹木の根が地中に残っているために、一定の間隔で支柱を打ち込むことができず、横木が隣り合う支柱まで届かないため設置できないおそれがあった。
【０００４】
逆に支柱同士の間隔が所定よりも短い場合には、横木の端部が支柱から突出してしまい、突出した部分を切断する等の作業を行わなければ取り付けることができないおそれがあった。
【先行技術文献】
【特許文献】
【０００５】
【特許文献１】特開２０１７-１２２３２９号公報
【発明の概要】
【発明が解決しようとする課題】
【０００６】
本発明は以上のような従来の欠点に鑑み、地面からの突出長さを一定にすることができるとともに、樹木の根が残っていても容易に設置可能な斜面用柵及び斜面用柵の設置方法を提供することを目的としている。
【課題を解決するための手段】
【０００７】
上記目的を達成するために、本発明の請求項１に記載の斜面用柵は、斜面に間隔を有して設けられた複数個の支柱と、該支柱にそれぞれ取付具を介して取り付けられた複数個の横木と、隣り合う前記横木を回転可能に連結する複数個の連結部材とで構成され、前記支柱は、斜面に打ち込まれる杭部材と、少なくとも該杭部材の上部が、その内部に入り込むように重なり合うパイプ状の支柱本体と、該支柱本体を前記杭部材に固定する固定手段とで構成され、前記連結部材は、一方の連結片及び他方の連結片がそれぞれ回転可能に接続され、前記一方の連結片が前記隣り合う横木の一方の横木に取り付けられ、前記他方の連結片が他方の横木に取り付けられることを特徴とする。
【０００８】
請求項２に記載の斜面用柵は、少なくとも前記横木又は支柱のいずれかに、格子状の網部材が更に取り付けられていることを特徴とする。
【０００９】
請求項３に記載の斜面用柵の設置方法は、複数個の杭部材を斜面に打ち込む杭部材設置工程と、該杭部材設置工程で設置された前記杭部材に、それぞれパイプ状の支柱本体を固定手段によって取り付ける支柱本体設置工程と、該支柱本体設置工程において設置した前記支柱本体に、複数個の横木を取付具を介して前記支柱本体に取り付けるとともに、前記横木を連結部材によって連結する横木設置工程とで構成され、  前記連結部材は、一方の連結片及び他方の連結片が回転可能に連結され、一方の連結片が前記隣り合う横木の一方の横木に取り付けられ、他方の連結片が他方の横木に取り付けられ、前記柱本体設置工程は、前記支柱本体の底部が斜面に接地した状態で杭部材に取り付けることを特徴とする。
請求項４に記載の斜面用柵の設置方法は、少なくとも前記横木又は支柱のいずれかに、格子状の網部材を取り付ける網部材設置工程を更に行うことを特徴とすることを特徴とする。
【００１０】
請求項５に記載の斜面用柵の設置方法では、少なくとも前記杭部材設置工程は、ウインチを有する法面作業車を用いて、ウインチのワイヤーを斜面上部のアンカーに固定して杭部材を斜面に打ち込んで設置することを特徴とすることを特徴とする。
【発明の効果】
【００１１】
以上の説明から明らかなように、本発明にあっては次に列挙する効果が得られる。
（１）請求項１及び請求項３に記載の各発明においては、杭部材を地面に打ち込み、次にこの杭部材の上部が内部に入り込むようにパイプ状の支柱本体をかぶせて、杭部材と支柱本体を固定しているので、支柱本体の底面が地面に接触した状態で斜面に固定することができる。
したがって、支柱の地面からの突出長さを略一定にすることができる。
（２）また、横木は連結部材を介して連結されているので、支柱に取り付けた部位ではなく、連結部材を支点として横木を回転させることができる。
したがって、支柱を横木の連結部分以外に設けることができ、一定の間隔で支柱を設けなくても横木を設置することができる。
（３）請求項２及び請求項４に記載の発明においては、（１）〜（２）と同様な効果が得られるとともに、網部材を設置することにより、より効果的に人や動物の侵入を防ぐことができる。
（４）請求項５に記載の発明においても前記（１）〜（３）と同様な効果が得られるとともに、急斜面でも容易に設置作業を行うことができる。
【図面の簡単な説明】
【００１２】
図１乃至図１１は本発明の第１の実施形態を示す説明図である。
図１２乃至図１４は本発明の第２の実施形態示す説明図である。
【図１】第１の実施形態の斜面用柵の正面図。
【図２】斜面用柵の平面図。
【図３】支柱の分解斜視図。
【図４】支柱の縦断面図。
【図５】横木及び連結部材の説明図。
【図６】斜面用柵を設置した状態の平面図。
【図７】斜面用柵を設置した状態の側面図。
【図８】第１の実施形態の斜面用柵の設置方法の工程図。
【図９】杭部材設置工程の側面図。
【図１０】杭部材設置工程の平面図
【図１１】支柱本体設置工程の説明図。
【図１２】第２の実施形態の斜面用柵の正面図。
【図１３】支柱の説明図。
【図１４】第２の実施形態の斜面用柵の設置方法の工程図。
【発明を実施するための形態】
【００１３】
以下、図面に示す本発明を実施するための形態により、本発明を詳細に説明する。
図１乃至図１１に示す本発明を実施するための第１の形態において、１は法面等の斜面２に設置される斜面用柵で、この斜面用柵１は、図１及び図２に示すように、斜面２に間隔を有して設けられた複数個の支柱３と、該支柱３に取付具４を介して取り付けられた複数個の横木５と、隣り合う横木５を連結する連結部材６とで構成されている。
【００１４】
前記支柱３は、図３及び図４に示すように、斜面２に打ち込まれる杭部材７と、少なくとも該杭部材７の上部が、その内部に入り込むように重なり合うパイプ状の支柱本体８と、該支柱本体８を前記杭部材７に固定する固定手段９とで構成されている。
【００１５】
この杭部材７は、本実施形態では、金属製で略円柱状の部材が用いられており、杭部材７を斜面２に打ち込んだ際に、少なくとも上端部付近が地表よりも上部に突出する程度の長さを有している。ところで、先端部（下端部）を、斜面に打ち込みやすいよう尖った形状に形成してもよい。
【００１６】
支柱本体８は、本実施形態では、金属製で円筒形状の部材であり、内径が前記杭部材７をスムーズに挿入できる程度に、杭部材７よりもやや大きく、下端部付近にネジ穴１０が形成されている。このネジ穴１０は、本実施形態で固定手段９となるボルト９が螺合するもので、斜面２に打ち込まれた杭部材７に支柱本体８をかぶせ、このネジ穴１０にボルト９を螺合し、ボルト９の先端部分で杭部材７を押圧することにより、杭部材７と支柱本体８とを固定する。この杭部材７の外周面にボルト９の先端部が入り込む凹所やネジ穴等を形成してもよい。
【００１７】
このように支柱本体８を杭部材７にかぶせ、支柱本体８の下端部が斜面２に当接した状態で杭部材７と支柱本体８とを固定することにより、杭部材７の打ち込みしろにかかわらず、支柱３の斜面からの突出高さを一定にすることができる。
【００１８】
ところで、固定手段９としては、本実施形態のようにボルトによる固定の他、嵌合、係合、圧入、溶接等の固定手段９を用いることができる。
【００１９】
取付具４は、本実施形態では、押え板１１を備えるＵバンド又はＵボルト１２を用いており、Ｕバンド又はＵボルト１２を支柱３の外周部に当接させ、横木５を支柱３と押え板１１との間に介在させ、Ｕバンド又はＵボルト１２の両端部に形成されたネジ部１３とナット１４を螺合して横木５を取り付ける。
【００２０】
本実施形態では、上下に２つのＵバンド又はＵボルト１２を用いて押え板１１の四隅付近をＵバンド又はＵボルト１２のネジ部１３が貫通するように構成されている。このように上下に２つのＵバンド又はＵボルト１２を用いることにより、横木５を任意の角度で取り付けることができる。
【００２１】
横木５は、本実施形態では、金属製でパイプ状の部材が用いられており、上下方向に２本の横木５が並列するように取り付けられる。この横木５は、上下方向に３本以上並列するように取付けてもよいし、１本のみ取付けてもよい。
【００２２】
なお、中実の軸状の横木としてもよいし、エンジニアプラスチック等の樹脂や木製、竹の横木を用いてもよい。
【００２３】
連結部材６は、一方の連結片１５と、この一方の連結片１５とヒンジ部１６を介して回転可能に接続された他方の連結片１７とで構成されている。
【００２４】
この連結部材６は、一方の連結片１５が前記隣り合う横木５の一方の横木５に取り付けられ、他方の連結片１６が他方の横木５に取り付けられる。このように隣り合う横木５を連結することにより、横木５が連結部材６のヒンジ部１６を支点に回動可能となる。
【００２５】
そのため、支柱３を横木５の連結部分以外に設けた場合であっても、横木５を斜面に沿うように連続的に連結することができるので、支柱３を樹木の根２８等（地表に出ている切り株や地中に埋没している太い幹や根）を回避して任意の位置に打つことができる。
本実施形態では、図５に示すように、一方の連結片１５及び他方の連結片１７がパイプ状の横木５の内側面に嵌合するように取り付けられているが、連結片１５、１７と横木５をボルト等で連結してもよい。
【００２６】
なお、ヒンジ部１６は本実施形態では、支点を中心に円形に回転するものであるが、例えばボールジョイント等を用いて任意の方向に回転できるようにしてもよい。ボールジョイントを用いない場合には、連結部材６を取り付ける角度等を調整して、横木を任意の方向へ連結することができる。
【００２７】
ところで、本実施形態では、横木５及び支柱３に格子状の網部材１８を取り付けている。この網部材１８は、本実施形態では、いわゆる金網であり、横木５と支柱３に適宜針金、Ｕボルト等の取付部材（図示せず）で連結され、取り付けられる。支柱３の突出高さは一定になっているので、金網状の網部材１８を支柱に取り付ける場合に取り付けやすく、また、外観上もバランスが良いので、美観が向上するものである。
【００２８】
なお、本実施形態では、横木５及び支柱３に取付部材を用いて網部材１８を取り付けているが、横木５と支柱３のいずれか一方のみに取付けてもよい。
【００２９】
ところで、このような斜面用柵１を設置するための斜面用柵の設置方法１９は、図８に示すように、複数個の杭部材７を斜面に打ち込む杭部材設置工程２０と、該杭部材設置工程２０で設置された前記杭部材７に、それぞれパイプ状の支柱本体８を固定手段９によって取り付ける支柱本体設置工程２１と、該支柱本体設置工程２１において設置した支柱本体８に、複数個の横木５を取付具４を介して支柱３に取り付けるとともに、横木５を連結部材６によって連結する横木設置工程２２と、横木５又は支柱３に網部材１８を取り付ける網部材設置工程２３とで構成される。
【００３０】
杭部材設置工程２０では、図９に示すように、重機又は人力によって杭部材７を斜面２に所定間隔ごとに複数個打ち込む。ところで、杭部材７は、一定の間隔で設けることが望ましいが、樹木の根２８等があり杭部材７を打ち込むことが難しい場合には、その樹木の根２８を避けて杭部材７を打ち込む。
【００３１】
本実施形態では、ウインチ２４を有する杭打機等の法面作業車２５を用いて、ウインチ２４のワイヤー２６を斜面上部のアンカー２７に固定して斜面２を移動し、杭部材７を法面作業車２５の打撃装置１８により斜面２に打ち込んで設置する。
【００３２】
法面作業車２５は１対のウインチ２４を備えていることが望ましく、図１０に示すように、１対のウインチ２４のワイヤー２６を平面視において逆ハの字状となるようにアンカー２７に固定して斜面２を移動することが望ましい。
【００３３】
支柱本体設置工程２１は、法面作業車２５によって打ち込んだ杭部材７の上端部付近に、支柱本体８をかぶせるとともに、固定手段９で固定する。本実施形態では、固定手段９として複数個のボルトを用いている。この支柱本体設置工程２１では、支柱本体８を杭部材７に固定する際に、支柱本体８の底部が斜面２に接地した状態で取り付ける。このように取り付けることにより、斜面２から支柱３の上端部までの距離が一定となり（支柱本体８の全長が斜面２の地表から支柱３の上端部までの距離となる）、横木５や網部材１８を容易に取り付けることができる。
【００３４】
横木設置工程２２では、杭部材７に固定した支柱本体８に取付具４によって横木５を取り付けるとともに、隣り合う横木５同士を連結部材６で連結する。横木５は連結部材６の部位で支柱本体８に取り付けることが望ましいが、連結部材６を支点にして横木５が回動可能であるため、必ずしも連結部材６の部位で支柱本体８に取付けなくてもよい。
【００３５】
連結部材６の部位で支柱本体８に取付ける場合には、予め連続する横木５同士を連結部材６で連結した後、取付具４によって支柱本体８に固定する。
【００３６】
一方、連結部材６の部位以外の部位（横木の端部付近の部位）を支柱本体８に取り付ける場合には、必ずしも連続する横木５同士を連結部材６で連結した後に取付けなくてもよく、横木５を支柱本体８に取付けた後に連続する横木５を連結部材６により連結してもよい。
【００３７】
網部材設置工程２３では、格子状の網部材１８を横木５及び支柱本体８に固定する。このような網部材１８を設けることにより、侵入防止効果を向上させることができる。
【００３８】
[発明を実施するための異なる形態]
次に、図１２乃至図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１２乃至図１４に示す本発明を実施するための第２の形態において、前記本発明を実施するための第１の形態と主に異なる点は、角柱状の杭部材７Ａと角パイプ状の支柱本体８Ａを用いた支柱３Ａを用いた点で、このような斜面用柵１Ａにしても、前記本発明を実施するための第１の形態と同様な作用効果が得られる。
【００３９】
また、本実施形態の斜面用柵の設置方法１９Ａでは、角柱状の杭部材７Ａを斜面２に設置する杭部材設置工程２０Ａにするとともに、この杭部材７Ａに角パイプ状の支柱本体８Ａを設置する支柱本体設置工程２１Ａにしている。
なお、本発明の実施形態において、杭部材、支柱本体及び網部材は金属製のものを用いた場合について説明したが、例えば樹脂（特にエンジニアプラスチック等）や木材、竹等を用いることもできる。
【００４０】
本願発明の実施形態では、網部材を備えるものについて説明したが、網部材は必ずしも設けなくてもよい。また、この網部材として金網を用いているが、金網に限らず、例えば複数個の横木と複数個の縦桟と組み合わせて格子状の網部材としてもよい。
【００４１】
横木については、中実のもの、断面多角形状のものを用いてもよく、横木に連結される連結部材については、外嵌合や係合する連結片を有するものを用いてもよい。
【００４２】
以上の通りであるから、本発明の斜面用柵は、斜面に間隔を有して設けられた複数個の支柱と、該支柱にそれぞれ取付具を介して取り付けられた複数個の横木と、隣り合う前記横木を回転可能に連結する複数個の連結部材とで構成され、前記支柱は、斜面に打ち込まれる杭部材と、少なくとも該杭部材の上部が、その内部に入り込むように重なり合うパイプ状の支柱本体と、該支柱本体を前記杭部材に固定する固定手段とで構成され、前記連結部材は、一方の連結片及び他方の連結片がそれぞれ回転可能に接続され、前記一方の連結片が前記隣り合う横木の一方の横木に取り付けられ、前記他方の連結片が他方の横木に取り付けられることを特徴とする。
【産業上の利用可能性】
【００４３】
本発明は法面等の斜面に対して柵の設置工事等を行う産業で利用される。
【符号の説明】
【００４４】
１、１Ａ：斜面用柵、              ２：斜面、
３、３Ａ：支柱、                  ４：取付具、
５：横木、                        ６、６Ａ：連結部材、
７、７Ａ：杭部材、                ８、８Ａ：支柱本体、
９：固定手段、                    １０：ネジ穴、
１１：押え板、                    １２：Ｕバンド又はＵボルト、
１３：ネジ部、                    １４：ナット、
１５、１５Ａ：一方の連結片、      １６：ヒンジ部、
１７、１７Ａ：他方の連結片、      １８：網部材、
１９、１９Ａ：斜面用柵の設置方法、２０、２０Ａ：杭部材設置工程、
２１、２１Ａ：支柱本体設置工程、  ２２：横木設置工程、
２３：網部材設置工程、            ２４：ウインチ、
２５：法面作業車、                ２６：ワイヤー、
２７：アンカー、                  ２８：樹木の根。
【図１】
2020007838.tif 000003
【図２】
2020007838.tif 000004
【図３】
2020007838.tif 000005
【図４】
2020007838.tif 000006
【図５】
2020007838.tif 000007
【図６】
2020007838.tif 000008
【図７】
2020007838.tif 000009
【図８】
2020007838.tif 000010
【図９】
2020007838.tif 000011
【図１０】
2020007838.tif 000012
【図１１】
2020007838.tif 000013
【図１２】
2020007838.tif 000014
【図１３】
2020007838.tif 000015
【図１４】
2020007838.tif 000016